(57)【要約】【課題】  通気性のワークを乾燥時間を短縮できる熱風循環指式熱処理装置を提供すること。【解決手段】  ディーゼル排ガス浄化用触媒ＤＰＦ等の通気性のあるワーク１２を支持する孔の開いたトレー１９と、トレー１９の下方に設けられた、熱風を吸引する吸引ダクト２０とを備え、その吸引ダクト２０を、熱風吸引の負圧現象を利用し上昇下降させ、或いは、トレー１９を移動させるチェーンのカム板を利用して、上昇下降させることによって、トレー１９に吸引ダクト２０を密着し、また離すことができ、その際、吸引ダクト２０の上端に設けられたガスケット２２とストッパー２３を利用して、密閉性を向上させることで、ワーク１２の内部に空気の流れを集中的に形成して乾燥時間を短縮出来、またストッパー２３をガスケット２２に隣接して配置することで、ガスケット２２の変形量を規制し、ガスケット２２の寿命を長くする。【選択図】  図２
2014173813.tif 000002
【特許請求の範囲】
【請求項１】
炉体内において、熱風を循環させることによって、通気性のワークを加熱乾燥する熱風循環式加熱装置であって、
前記ワークを支持する孔の開いたトレーと、
前記トレーの下方に設けられた、前記熱風を吸引する吸引ダクトと、を備え、
前記吸引ダクトを上昇させることによって、前記トレーに前記吸引ダクトを密着することができ、密着した状態で加熱乾燥することを特徴とする熱風循環式加熱装置。
【請求項２】
前記吸引ダクトの上昇、降下は、前記熱風を循環するファンの負圧を利用して前記吸引ダクトを上昇させ、また前記ファンを停止して前記吸引ダクトを降下させることによって実現されることを特徴とする、請求項１記載の熱風循環式加熱装置。
【請求項３】
前記トレーを搬送するチェーンにカム板が取り付けられるとともに、
前記吸引ダクトにカムフォロア部材部材が取り付けられ、
前記チェーンの移動により前記カム板が移動し、前記移動するカム板が前記カムフォロア部材部材に当たることによって、前記吸引ダクトを上昇させ、また降下させることを特徴とする、請求項１記載の熱風循環式加熱装置。
【請求項４】
前記吸引ダクトの前記トレーと接する部分に、ガスケットと、前記ガスケットの変形量を規制するストッパーが設けられ、
前記ガスケットの内側に前記ストッパーが配置されていることを特徴とする、請求項１〜３のいずれかに記載の熱風循環式加熱装置。
【発明の詳細な説明】
【技術分野】
【０００１】
本発明は、通気性のある被加熱物であるワークを熱処理する熱風循環式加熱装置に関するものである。
【背景技術】
【０００２】
従来、自動車用内装材の製造方法にあっては、中間製品である通気性板状体を加熱するための熱風循環式加熱装置としては、通気性板状体の被加熱物を本体に設置し、その後空気を媒体として熱処理するものがある（例えば、特許文献１参照。）
図９は、特許文献１に記載された従来の通気性板状体の被加熱物を加熱する加熱炉を示す図である。
【０００３】
図９において１は炉体、２は炉室の内部を貫通しているネットコンベアである。炉室の天井部に多数の噴出し口がある熱風吹出ボックス３が設置され、熱風発生器５から供給される熱風を通気性板状体Ｗの上面に吹き付ける。ネットコンベア２の下方には吸引ボックス４が設置され、その上面に形成された吸引口から熱風を吸引して耐熱性の送風機６によって熱風発生器５に循環されている。
【先行技術文献】
【特許文献】
【０００４】
特開２０１０−２１６０５６号公報
【発明の概要】
【発明が解決しようとする課題】
【０００５】
しかしながら、前記従来の構成では、通気性の被加熱物を乾燥する場合、吹き付ける熱風がより空気抵抗の少ない場所、すなわち被加熱物の周囲を通過するため、被加熱物の乾燥時間が長くなり、装置が大型化する課題を有していた。
【０００６】
本発明は、前記従来の加熱装置の課題を考慮し、被加熱物であるワークの乾燥時間を短く出来る熱風循環式加熱装置を提供することを目的とする。
【課題を解決するための手段】
【０００７】
第１の本発明は、
炉体内において、熱風を循環させることによって、通気性のワークを加熱乾燥する熱風循環式加熱装置であって、
前記ワークを支持する孔の開いたトレーと、
前記トレーの下方に設けられた、前記熱風を吸引する吸引ダクトと、を備え、
前記吸引ダクトを上昇させることによって、前記トレーに前記吸引ダクトを密着することができ、密着した状態で加熱乾燥することを特徴とする熱風循環式加熱装置である。
【０００８】
第２の本発明は、
前記吸引ダクトの上昇、降下は、前記熱風を循環するファンの負圧を利用して前記吸引ダクトを上昇させ、また前記ファンを停止して前記吸引ダクトを降下させることによって実現されることを特徴とする、第１の発明の熱風循環式加熱装置である。
【０００９】
第３の本発明は、
前記トレーを搬送するチェーンにカム板が取り付けられるとともに、
前記吸引ダクトにカムフォロア部材部材が取り付けられ、
前記チェーンの移動により前記カム板が移動し、前記移動するカム板が前記カムフォロア部材部材に当たることによって、前記吸引ダクトを上昇させ、また降下させることを特徴とする、第１の発明の熱風循環式加熱装置である。
【００１０】
第４の本発明は、
前記吸引ダクトの前記トレーと接する部分に、ガスケットと、前記ガスケットの変形量を規制するストッパーが設けられ、
前記ガスケットの内側に前記ストッパーが配置されていることを特徴とする、第１〜３のいずれかの本発明の熱風循環式加熱装置である。
【発明の効果】
【００１１】
以上のように、本発明の熱風循環式加熱装置によれば、通気性を有するワークに対して、乾燥時間を短縮出来る。
【図面の簡単な説明】
【００１２】
【図１】本発明の実施の形態１、２，３における、熱風循環式加熱装置の構成を説明する図
【図２】本発明の実施の形態１における、ワークに対しての空気流れを説明する図
【図３】本発明の実施の形態２における、吸引圧力を利用した吸引ダクトの上昇、降下を説明する図
【図４】本発明の実施の形態３における、チェーンの水平移動を利用した吸引ダクトの上昇、降下を説明する図
【図５】（ａ）、（ｂ）、（ｃ）は上記実施の形態３における、吸引ダクトの上昇、降下の変化を説明する図
【図６】本発明の実施の形態１、２、３におけるワークと吸引ダクトの位置を説明する図
【図７】本発明の実施の形態３の変形例を示す図
【図８】図７で示す変形例における吸引ダクトの上昇、降下を説明する図
【図９】特許文献１に記載された従来の加熱装置の構成を示す図
【発明を実施するための形態】
【００１３】
以下本発明の実施の形態について、図面を参照しながら説明する。
【００１４】
図１は本発明の実施の形態１、２、３における熱風循環式加熱装置の構成を説明する略図である。
【００１５】
この熱風循環式加熱装置はグラスウール等の断熱材で囲まれており、通気性を有するワーク１２を収納するための密閉空間を形成する箱形の本体１１を備えている。
【００１６】
通気性のワーク１２は、例えば円柱？円筒状セラミック体であって、直径１５０ｍｍ×高さ１５０ｍｍ程度のものである。ワーク１２の数は１個もしくは複数個でも良い。
【００１７】
空気を循環させるためにファン１３とモータ１５及びシャフト１４を設けている。ファン１３は例えばシロッコファンやターボファンである。
【００１８】
空気を加熱させるためにヒータ１６を設けて温度センサ１７を使用して、制御部、例えばリレー回路によって、ヒータ１６に供給される電力をＰＩＤ制御することにより、ワーク１２の内部の温度が一定に保たれるようになっている。上記設定温度はワーク１２内部に含浸させた溶剤の乾燥温度であり、１５０℃〜１６０℃程度の温度に設定される。
【００１９】
循環温風は、矢印のように、ワーク１２の下側から吸引され、ファン１３によって、ヒータ１６を通過して、ワーク１２上から吹き出す。
【００２０】
（実施の形態１）
図２は、本発明の実施の形態１を示し、ワーク１２に対しての空気流れ及び搬送形態を説明する略図である。
【００２１】
ワーク１２の上方に吹出ダクト１８があり、ワーク１２の下には、ワーク１２に当接して密着しながら、支持しているトレー１９があり、そのトレー１９の下方に吸引ダクト２０が配置されている。トレー１９の中央部には孔３１が開いている。
【００２２】
空気は矢印で示すようにワーク１２の上側からワーク１２内部を通過して吸引ダクト２０に吸い込まれる。吸引ダクト２０は昇降装置（例えばシリンダ装置）３０によって昇降するようになっている。吸引ダクト２０の上昇時には、吸引ダクト２０の上端の周囲に固定しているガスケット２２がトレー１９の下面に密着することで、機密性を確保することができ、ワーク１２の下側面からのみ空気を吸引することができる。その結果、無駄な温風の流れがなくなり乾燥効率が向上する。
【００２３】
吸引ダクト２０の上端の、ガスケット２２の内側には、ガスケット２２のつぶれ量を規定するストッパー２３が固定されている。
【００２４】
また、吸引ダクト２０を左右からはさむように、トレー１９を搬送するチェーン２４がトレー１９に連結されている。チェーン２４は吸引ダクト２０の中心位置にトレー１９の中央が停止するようにトレー１９を間欠動作する。
【００２５】
なお、ストッパー２３がガスケット２２の変形量を規制するのでガスケット２２の寿命が延びるとともに、さらに、ガスケット２２の内側にストッパー２３を配置することで、ガスケット２２が熱風に直接さらされることがないので、ガスケット２２の寿命を伸ばすことができる。
【００２６】
（実施の形態２）
図３は本発明の実施の形態２における、吸引による負圧力を利用して吸引ダクト２０の上昇と降下の状態を説明する略図である。図１、２に記載の符号はその説明を省略する。
【００２７】
ファン１３が回転することで発生する吸引の圧力を利用して吸引ダクト２０をトレー１９側に上昇させてトレー１９と密着させる。トレー１９の中央部の孔３１の上にワーク１２を配置している。このワーク１２は通気性を有しているが、この通気性は細い孔が多数連なって気体を通す構造である。従ってワーク１２には流路抵抗があり、吸引の負圧で吸引ダクト２０をトレー１９に密着させることができる（図３（ｂ）参照）。そのための吸引ダクト２０の構造として、伸縮部２５が吸引ダクト２０に設けられており、負圧によって伸び縮み出来るようになっている。
【００２８】
ファン１３はシロッコファン、またはターボファンを使うことで５００〜１０００Ｐａの圧力を発生することができる。また、ファン１３を停止することで圧力が低下して自重で吸引ダクト２０が降下して、吸引ダクト２０とトレー１９の間に空間を設けることができる（図３（ａ）参照）。
【００２９】
吸引ダクト２０は軽量化するために板金で構成し、伸縮部２５はフレキシブルダクトで実現している。従って、吸引ダクト２０の昇降用に昇降装置を設けることが不要となるので、装置を小さくコンパクトにすることができると共に装置の価格を抑えることができる。
【００３０】
（実施の形態３）
図４、図５（ａ）、（ｂ）、（ｃ）は本発明の実施の形態３における、チェーン２４の移動を利用して吸引ダクト２０の上昇と降下の状態を説明する略図である。図１、２、３と同じ構成には同じ符号を用いその説明を省略する。図５は図４の装置を矢印Ａ方向から見た側面図である。チェーン２４は一部のみ表示している。なお、チェーンなどは説明を分かり安くするため誇張して描いている。
【００３１】
吸引ダクト２０の両側面の４箇所に、カムフォロア部材２６（上側カムフォロア部材２６ａと、下側カムフォロア部材２６ｂ）が固定されており、吸引ダクト２０の昇降時のガイドとなる。他方、搬送用のチェーン２４である上側チェーン２４ａと下側チェーン２４ｂにはそれぞれカム板２７ａ、２７ｂを設ける。トレー１９を移動させるためにチェーン２４を移動させることによって、吸引ダクト２０が上昇、降下するようになっている。
【００３２】
すなわち、図５（ａ）に示すように、吸引ダクト２０に固定されているカムフォロア部材２６ａ、２６ｂと、チェーン２４ａ、２６ｂに固定されているカム板２７ａ、２７ｂとが接触していない状態では、吸引ダクト２０は降下状態になっている。
【００３３】
次に、図５（ｂ）に示すように、上側チェーン２４ａが左に移動し、下側チェーン２４ｂが右側に移動すると、下側カム板２７ｂの上面に下側カムフォロア部材２６ｂが乗り上げる。それによって、下側カムフォロア部材２６ｂに固定されている吸引ダクト２０が上昇する。
【００３４】
次に、図５（ｃ）に示すように、更に上側チェーン２４ａが左に移動し、下側チェーン２４ｂが右側に移動すると、上側カム板２７ａの下面が上側カムフォロア部材２６ａに当たり、そのため、上側カムフォロア部材２６ａが押し下げられる。それによって、上側カムフォロア部材２６ａに固定されている吸引ダクト２０が降下する。
【００３５】
このようにトレー１９を搬送する機構を使い、同時に吸引ダクト２０の上昇、降下をすることができる。従って、吸引ダクト２０の昇降用の別の駆動装置を設けることが不要となるので、装置全体を小さくコンパクトにすることができると共に装置の価格を抑えることができる。
【００３６】
図６は、本発明の実施の形態１、２、３におけるワーク１２、トレー１９、吸引ダクト２０の相互の位置関係を説明する略図である。図１、２、３と同じ構成には同じ符号を用いその説明を省略する。
【００３７】
ワーク１２は吸引ダクト２０の内側に配置され、トレー１９の孔３１を通過して熱風が流れる。ワーク１２の大きさが変化してもトレー１９の種類を変えれば炉体と搬送系を変更すること無く搬送と乾燥をすることができる。
【００３８】
図６（ａ）、（ｂ）、（ｃ）のそれぞれのトレー１９の孔３１の中心と吸引ダクト２０の中心は一致している。また、トレー１９上に複数のワーク１２を配置する時は吸引ダクト２０の中心に対して複数ワーク１２の中心がそれぞれ等配で対称となるように配置する。
【００３９】
なお、上述した実施の形態３では、カム板２７と、カムフォロア部材２６とを、上側チェーン２４ａと下側チェーン２４ｂとで挟まれる内側位置に配置するようにしていたが、図７、図８に示すように、それぞれのチェーン２４の外側に、カム板２７と、カムフォロア部材２６とが来るように配置してもかまわない。その場合は、チェーン２４がトレー１９から遠い位置になるので、図７に示すように、チェーン２４とトレー１９を連結するピン部材３２を設けることで、連動させることが出来る。
【００４０】
なおまた、上述した実施の形態３では、トレー１９を移動させるチェーンを利用して、吸引ダクトを上昇、降下させたが、必ずしもチェーンを兼用する必要はなく、それぞれ別のチェーンを設けてもかまわない。
【００４１】
また、本発明のワークは、ディーゼル排ガス浄化用触媒DPF（ディーゼル・パティキュレート・フィルタ）など、通気性のある被加熱物であれば、板状体に限らない。
【産業上の利用可能性】
【００４２】
本発明の熱風循環式加熱装置は、通気性の被加熱物に対して乾燥時間を短縮することでき、また装置を小型化することができるため、セラミック製ハニカム構造体の乾燥にも利用できる。
【００４３】
また、通気性板状体の具体例としてはディーゼルエンジン排ガス中のPM（粒子状物質）を低減するディーゼル排ガス浄化用触媒DPF（ディーゼル・パティキュレート・フィルタ）などがある。
【符号の説明】
【００４４】
１１    本体
１２    通気性のワーク
１４    シャフト
１５    モータ
１６    ヒータ
１７    温度センサ
１８    吹出ダクト
１９    トレー
２０    吸引ダクト
２２    ガスケット
２３    ストッパー
２４    チェーン
２５    フレキダクト
２６    カムフォロア部材
２７    カム板
【図１】
2014173813.tif 000003
【図２】
2014173813.tif 000004
【図３】
2014173813.tif 000005
【図４】
2014173813.tif 000006
【図５】
2014173813.tif 000007
【図６】
2014173813.tif 000008
【図７】
2014173813.tif 000009
【図８】
2014173813.tif 000010
【図９】
2014173813.tif 000011
【手続補正書】
【提出日】平成25年12月10日(2013.12.10)
【手続補正１】
【補正対象書類名】特許請求の範囲
【補正対象項目名】全文
【補正方法】変更
【補正の内容】
【特許請求の範囲】
【請求項１】
炉体内において、熱風を循環させることによって、通気性のワークを加熱乾燥する熱風循環式加熱装置であって、
前記ワークを支持する孔の開いたトレーと、
前記トレーの下方に設けられた、前記熱風を吸引する吸引ダクトと、を備え、
前記吸引ダクトを上昇させることによって、前記トレーに前記吸引ダクトを密着することができ、密着した状態で加熱乾燥することを特徴とする熱風循環式加熱装置。
【請求項２】
前記吸引ダクトの上昇、降下は、前記熱風を循環するファンの負圧を利用して前記吸引ダクトを上昇させ、また前記ファンを停止して前記吸引ダクトを降下させることによって実現されることを特徴とする、請求項１記載の熱風循環式加熱装置。
【請求項３】
前記トレーを搬送するチェーンにカム板が取り付けられるとともに、
前記吸引ダクトにカムフォロア部材が取り付けられ、
前記チェーンの移動により前記カム板が移動し、前記移動するカム板が前記カムフォロア部材に当たることによって、前記吸引ダクトを上昇させ、また降下させることを特徴とする、請求項１記載の熱風循環式加熱装置。
【請求項４】
前記吸引ダクトの前記トレーと接する部分に、ガスケットと、前記ガスケットの変形量を規制するストッパーが設けられ、
前記ガスケットの内側に前記ストッパーが配置されていることを特徴とする、請求項１〜３のいずれかに記載の熱風循環式加熱装置。
【手続補正２】
【補正対象書類名】明細書
【補正対象項目名】全文
【補正方法】変更
【補正の内容】
【発明の詳細な説明】
【技術分野】
【０００１】
本発明は、通気性のある被加熱物であるワークを熱処理する熱風循環式加熱装置に関するものである。
【背景技術】
【０００２】
従来、自動車用内装材の製造方法にあっては、中間製品である通気性板状体を加熱するための熱風循環式加熱装置としては、通気性板状体の被加熱物を本体に設置し、その後空気を媒体として熱処理するものがある（例えば、特許文献１参照）。
図９は、特許文献１に記載された従来の通気性板状体の被加熱物を加熱する加熱炉を示す図である。
【０００３】
図９において１は炉体、２は炉室の内部を貫通しているネットコンベアである。炉室の天井部に多数の噴出し口がある熱風吹出ボックス３が設置され、熱風発生器５から供給される熱風を通気性板状体Ｗの上面に吹き付ける。ネットコンベア２の下方には吸引ボックス４が設置され、その上面に形成された吸引口から熱風を吸引して耐熱性の送風機６によって熱風発生器５に循環されている。
【先行技術文献】
【特許文献】
【０００４】
特開２０１０−２１６０５６号公報
【発明の概要】
【発明が解決しようとする課題】
【０００５】
しかしながら、前記従来の構成では、通気性の被加熱物を乾燥する場合、吹き付ける熱風がより空気抵抗の少ない場所、すなわち被加熱物の周囲を通過するため、被加熱物の乾燥時間が長くなり、装置が大型化する課題を有していた。
【０００６】
本発明は、前記従来の加熱装置の課題を考慮し、被加熱物であるワークの乾燥時間を短く出来る熱風循環式加熱装置を提供することを目的とする。
【課題を解決するための手段】
【０００７】
第１の本発明は、
炉体内において、熱風を循環させることによって、通気性のワークを加熱乾燥する熱風循環式加熱装置であって、
前記ワークを支持する孔の開いたトレーと、
前記トレーの下方に設けられた、前記熱風を吸引する吸引ダクトと、を備え、
前記吸引ダクトを上昇させることによって、前記トレーに前記吸引ダクトを密着することができ、密着した状態で加熱乾燥することを特徴とする熱風循環式加熱装置である。
【０００８】
第２の本発明は、
前記吸引ダクトの上昇、降下は、前記熱風を循環するファンの負圧を利用して前記吸引ダクトを上昇させ、また前記ファンを停止して前記吸引ダクトを降下させることによって実現されることを特徴とする、第１の本発明の熱風循環式加熱装置である。
【０００９】
第３の本発明は、
前記トレーを搬送するチェーンにカム板が取り付けられるとともに、
前記吸引ダクトにカムフォロア部材が取り付けられ、
前記チェーンの移動により前記カム板が移動し、前記移動するカム板が前記カムフォロア部材に当たることによって、前記吸引ダクトを上昇させ、また降下させることを特徴とする、第１の本発明の熱風循環式加熱装置である。
【００１０】
第４の本発明は、
前記吸引ダクトの前記トレーと接する部分に、ガスケットと、前記ガスケットの変形量を規制するストッパーが設けられ、
前記ガスケットの内側に前記ストッパーが配置されていることを特徴とする、第１〜３のいずれかの本発明の熱風循環式加熱装置である。
【発明の効果】
【００１１】
以上のように、本発明の熱風循環式加熱装置によれば、通気性を有するワークに対して、乾燥時間を短縮出来る。
【図面の簡単な説明】
【００１２】
【図１】本発明の実施の形態１、２，３における、熱風循環式加熱装置の構成を説明する図
【図２】本発明の実施の形態１における、ワークに対しての空気流れを説明する図
【図３】本発明の実施の形態２における、吸引圧力を利用した吸引ダクトの上昇、降下を説明する図
【図４】本発明の実施の形態３における、チェーンの水平移動を利用した吸引ダクトの上昇、降下を説明する図
【図５】（ａ）、（ｂ）、（ｃ）は上記実施の形態３における、吸引ダクトの上昇、降下の変化を説明する図
【図６】本発明の実施の形態１、２、３におけるワークと吸引ダクトの位置を説明する図
【図７】本発明の実施の形態３の変形例を示す図
【図８】図７で示す変形例における吸引ダクトの上昇、降下を説明する図
【図９】特許文献１に記載された従来の加熱装置の構成を示す図
【発明を実施するための形態】
【００１３】
以下本発明の実施の形態について、図面を参照しながら説明する。
【００１４】
図１は本発明の実施の形態１、２、３における熱風循環式加熱装置の構成を説明する略図である。
【００１５】
この熱風循環式加熱装置はグラスウール等の断熱材で囲まれており、通気性を有するワーク１２を収納するための密閉空間を形成する箱形の本体１１を備えている。
【００１６】
通気性のワーク１２は、例えば円筒状セラミック体であって、直径１５０ｍｍ×高さ１５０ｍｍ程度のものである。ワーク１２の数は１個もしくは複数個でも良い。
【００１７】
空気を循環させるためにファン１３とモータ１５及びシャフト１４を設けている。ファン１３は例えばシロッコファンやターボファンである。
【００１８】
空気を加熱させるためにヒータ１６を設けて温度センサ１７を使用して、制御部、例えばリレー回路によって、ヒータ１６に供給される電力をＰＩＤ制御することにより、ワーク１２の内部の温度が一定に保たれるようになっている。上記設定温度はワーク１２内部に含浸させた溶剤の乾燥温度であり、１５０℃〜１６０℃程度の温度に設定される。
【００１９】
循環温風は、矢印のように、ワーク１２の下側から吸引され、ファン１３によって、ヒータ１６を通過して、ワーク１２上から吹き出す。
【００２０】
（実施の形態１）
図２は、本発明の実施の形態１を示し、ワーク１２に対しての空気流れ及び搬送形態を説明する略図である。
【００２１】
ワーク１２の上方に吹出ダクト１８があり、ワーク１２の下には、ワーク１２に当接して密着しながら、支持しているトレー１９があり、そのトレー１９の下方に吸引ダクト２０が配置されている。トレー１９の中央部には孔３１が開いている。
【００２２】
空気は矢印で示すようにワーク１２の上側からワーク１２内部を通過して吸引ダクト２０に吸い込まれる。吸引ダクト２０は昇降装置（例えばシリンダ装置）３０によって昇降するようになっている。吸引ダクト２０の上昇時には、吸引ダクト２０の上端の周囲に固定しているガスケット２２がトレー１９の下面に密着することで、機密性を確保することができ、ワーク１２の下側面からのみ空気を吸引することができる。その結果、無駄な温風の流れがなくなり乾燥効率が向上する。
【００２３】
吸引ダクト２０の上端の、ガスケット２２の内側には、ガスケット２２のつぶれ量を規定するストッパー２３が固定されている。
【００２４】
また、吸引ダクト２０を左右からはさむように、トレー１９を搬送するチェーン２４がトレー１９に連結されている。チェーン２４は吸引ダクト２０の中心位置にトレー１９の中央が停止するようにトレー１９を間欠動作する。
【００２５】
なお、ストッパー２３がガスケット２２の変形量を規制するのでガスケット２２の寿命が延びるとともに、さらに、ガスケット２２の内側にストッパー２３を配置することで、ガスケット２２が熱風に直接さらされることがないので、ガスケット２２の寿命を延ばすことができる。
【００２６】
（実施の形態２）
図３は本発明の実施の形態２における、吸引による負圧力を利用して吸引ダクト２０の上昇と降下の状態を説明する略図である。図１、２に記載の符号はその説明を省略する。
【００２７】
ファン１３が回転することで発生する吸引の圧力を利用して吸引ダクト２０をトレー１９側に上昇させてトレー１９と密着させる。トレー１９の中央部の孔３１の上にワーク１２を配置している。このワーク１２は通気性を有しているが、この通気性は細い孔が多数連なって気体を通す構造である。従ってワーク１２には流路抵抗があり、吸引の負圧で吸引ダクト２０をトレー１９に密着させることができる（図３（ｂ）参照）。そのための吸引ダクト２０の構造として、伸縮部２５が吸引ダクト２０に設けられており、負圧によって伸び縮み出来るようになっている。
【００２８】
ファン１３はシロッコファン、またはターボファンを使うことで５００〜１０００Ｐａの圧力を発生することができる。また、ファン１３を停止することで圧力が低下して自重で吸引ダクト２０が降下して、吸引ダクト２０とトレー１９の間に空間を設けることができる（図３（ａ）参照）。
【００２９】
吸引ダクト２０は軽量化するために板金で構成し、伸縮部２５はフレキシブルダクトで実現している。従って、吸引ダクト２０の昇降用に昇降装置を設けることが不要となるので、装置を小さくコンパクトにすることができると共に装置の価格を抑えることができる。
【００３０】
（実施の形態３）
図４、図５（ａ）、（ｂ）、（ｃ）は本発明の実施の形態３における、チェーン２４の移動を利用して吸引ダクト２０の上昇と降下の状態を説明する略図である。図１、２、３と同じ構成には同じ符号を用いその説明を省略する。図５は図４の装置を矢印Ａ方向から見た側面図である。チェーン２４は一部のみ表示している。なお、チェーンなどは説明を分かり易くするため誇張して描いている。
【００３１】
吸引ダクト２０の両側面の４箇所に、カムフォロア部材２６（上側カムフォロア部材２６ａと、下側カムフォロア部材２６ｂ）が固定されており、吸引ダクト２０の昇降時のガイドとなる。他方、搬送用のチェーン２４である上側チェーン２４ａと下側チェーン２４ｂにはそれぞれ上側カム板２７ａ、下側カム板２７ｂを設ける。トレー１９を移動させるためにチェーン２４を移動させることによって、吸引ダクト２０が上昇、降下するようになっている。
【００３２】
すなわち、図５（ａ）に示すように、吸引ダクト２０に固定されている上側カムフォロア部材２６ａ、下側カムフォロア部材２６ｂと、上側チェーン２４ａ、下側チェーン２４ｂに固定されている上側カム板２７ａ、下側カム板２７ｂとが接触していない状態では、吸引ダクト２０は降下状態になっている。
【００３３】
次に、図５（ｂ）に示すように、上側チェーン２４ａが左に移動し、下側チェーン２４ｂが右側に移動すると、下側カム板２７ｂの上面に下側カムフォロア部材２６ｂが乗り上げる。それによって、下側カムフォロア部材２６ｂに固定されている吸引ダクト２０が上昇する。
【００３４】
次に、図５（ｃ）に示すように、更に上側チェーン２４ａが左に移動し、下側チェーン２４ｂが右側に移動すると、上側カム板２７ａの下面が上側カムフォロア部材２６ａに当たり、そのため、上側カムフォロア部材２６ａが押し下げられる。それによって、上側カムフォロア部材２６ａに固定されている吸引ダクト２０が降下する。
【００３５】
このようにトレー１９を搬送する機構を使い、同時に吸引ダクト２０の上昇、降下をすることができる。従って、吸引ダクト２０の昇降用の別の駆動装置を設けることが不要となるので、装置全体を小さくコンパクトにすることができると共に装置の価格を抑えることができる。
【００３６】
図６は、本発明の実施の形態１、２、３におけるワーク１２、トレー１９、吸引ダクト２０の相互の位置関係を説明する略図である。図１、２、３と同じ構成には同じ符号を用いその説明を省略する。
【００３７】
ワーク１２は吸引ダクト２０の内側に配置され、トレー１９の孔３１を通過して熱風が流れる。ワーク１２の大きさが変化してもトレー１９の種類を変えれば炉体と搬送系を変更すること無く搬送と乾燥をすることができる。
【００３８】
図６（ａ）、（ｂ）、（ｃ）のそれぞれのトレー１９の孔３１の中心と吸引ダクト２０の中心は一致している。また、トレー１９上に複数のワーク１２を配置する時は吸引ダクト２０の中心に対して複数ワーク１２の中心がそれぞれ等配で対称となるように配置する。
【００３９】
なお、上述した実施の形態３では、カム板２７（上側カム板２７ａと、下側カム板２７ｂ）と、カムフォロア部材２６とを、上側チェーン２４ａと下側チェーン２４ｂとで挟まれる内側位置に配置するようにしていたが、図７、図８に示すように、それぞれのチェーン２４の外側に、カム板２７と、カムフォロア部材２６とが来るように配置してもかまわない。その場合は、チェーン２４がトレー１９から遠い位置になるので、図７に示すように、チェーン２４とトレー１９を連結するピン部材３２を設けることで、連動させることが出来る。
【００４０】
なおまた、上述した実施の形態３では、トレー１９を移動させるチェーンを利用して、吸引ダクトを上昇、降下させたが、必ずしもチェーンを兼用する必要はなく、それぞれ別のチェーンを設けてもかまわない。
【００４１】
また、本発明のワークは、ディーゼル排ガス浄化用触媒DPF（ディーゼル・パティキュレート・フィルタ）など、通気性のある被加熱物であれば、板状体に限らない。
【産業上の利用可能性】
【００４２】
本発明の熱風循環式加熱装置は、通気性の被加熱物に対して乾燥時間を短縮することでき、また装置を小型化することができるため、セラミック製ハニカム構造体の乾燥にも利用できる。
【００４３】
また、通気性板状体の具体例としてはディーゼルエンジン排ガス中のPM（粒子状物質）を低減するディーゼル排ガス浄化用触媒DPF（ディーゼル・パティキュレート・フィルタ）などがある。
【符号の説明】
【００４４】
１１    本体
１２    通気性のワーク
１４    シャフト
１５    モータ
１６    ヒータ
１７    温度センサ
１８    吹出ダクト
１９    トレー
２０    吸引ダクト
２２    ガスケット
２３    ストッパー
２４    チェーン
２５    フレキダクト
２６    カムフォロア部材
２７    カム板
【手続補正３】
【補正対象書類名】図面
【補正対象項目名】図４
【補正方法】変更
【補正の内容】
【図４】
2014173813.tif 000012
【手続補正４】
【補正対象書類名】図面
【補正対象項目名】図５
【補正方法】変更
【補正の内容】
【図５】
2014173813.tif 000013